【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
磁気共鳴映像法システムにおける使用のための磁気システムであって、
前記磁気共鳴映像法システムのためのＢ０磁場に寄与する磁場を生成するように構成されるＢ０磁石と、
前記磁気共鳴映像法システムの撮像領域内の磁束密度を増大させるために、前記Ｂ０磁石によって生成される前記磁場の少なくとも一部を取り込んで方向付けるように構成される、少なくとも１つの強磁性コンポーネントとを含み、
前記Ｂ０磁石及び前記少なくとも１つの強磁性コンポーネントは、約０．２Ｔ以下の強度の前記Ｂ０磁場を生成するように構成される、
磁気システム。
【請求項２】
Ｂ０磁石は、作動させられるときに、前記磁気共鳴映像法システムのために前記Ｂ０磁場に寄与する磁場を生成するように構成される、少なくとも１つの電磁石を含む、請求項１に記載の磁気システム。
【請求項３】
当該磁気システムは、約０．２Ｔ以下であり且つ約０．１Ｔ以上である強度にある前記Ｂ０磁場を生成するように構成される、請求項１に記載の磁気システム。
【請求項４】
当該磁気システムは、約０．１Ｔ以下であり且つ約５０ｍＴ以上である強度にある前記Ｂ０磁場を生成するように構成される、
請求項１に記載の磁気システム。
【請求項５】
当該磁気システムは、約５０ｍＴ以下であり且つ約２０ｍＴ以上である強度にある前記Ｂ０磁場を生成するように構成される、請求項１に記載の磁気システム。
【請求項６】
当該磁気システムは、約２０ｍＴ以下であり且つ約１０ｍＴ以上である強度にある前記Ｂ０磁場を生成するように構成される、
請求項１に記載の磁気システム。
【請求項７】
前記少なくとも１つの電磁石は、前記磁場を生成するよう、銅又はアルミニウム導体を使用して巻回される少なくとも１つの電磁石コイルを含み、当該磁気システムは、約０．１Ｔ以下であり且つ約２０ｍＴ以上である強度にある前記Ｂ０磁場を生成するように構成される、請求項１に記載の磁気システム。
【請求項８】
前記少なくとも１つの電磁石は、２平面構成において配置される第１のＢ０コイルと第２のＢ０コイルとを含む一対のＢ０コイルを含み、前記少なくとも１つの強磁性コンポーネントは、前記第１のＢ０コイルと前記第２のＢ０コイルとの間の前記撮像領域において前記Ｂ０磁場の磁場強度を増大させ且つ／或いは前記Ｂ０磁場の同質性を変更するように構成される、請求項２に記載の磁気システム。
【請求項９】
前記少なくとも１つの強磁性コンポーネントは、強磁性構造を含み、該強磁性構造は、該強磁性構造を通じて前記第１のＢ０コイル及び前記第２のＢ０コイルによって生成される磁束のための少なくとも１つの戻り経路を提供する磁性回路を形成するよう前記第１のＢ０コイル及び前記第２のＢ０コイルに接続される、請求項８に記載の磁気システム。
【請求項１０】
前記強磁性構造は、前記強磁性構造の少なくとも１つの側に沿って磁束のための前記少なくとも１つの戻り経路を提供する、請求項９に記載の磁気システム。
【請求項１１】
前記強磁性構造は、前記強磁性構造の両側に沿って磁束のための複数の戻り経路を提供する、請求項１０に記載の磁気システム。
【請求項１２】
前記強磁性構造は、前記強磁性構造の１つの側のみに沿って磁束のための戻り経路を提供するＣ形状強磁性構造を含む、請求項１０に記載の磁気システム。
【請求項１３】
前記強磁性構造は、少なくとも１つの面取りされた隅部を含み、該少なくとも１つの面取りされた隅部は、該少なくとも１つの面取りされた隅部の回りの磁気抵抗を減少させる、請求項９に記載の磁気システム。
【請求項１４】
前記強磁性構造は、磁束のための前記少なくとも１つの戻り経路を提供するように構成される複数の強磁性ポストを含む、請求項９に記載の磁気システム。
【請求項１５】
前記複数の強磁性ポストのうちの少なくとも１つは、前記磁気共鳴映像法システムから取り外し可能である、請求項１４に記載の磁気システム。
【請求項１６】
前記少なくとも１つの強磁性コンポーネントは、前記磁束が前記強磁性構造から出る場所を変更するよう、前記第１のＢ０コイル及び／又は前記第２のＢ０コイルに隣接して配置される少なくとも１つの強磁性コンポーネントを更に含む、請求項９に記載の磁気システム。
【請求項１７】
前記強磁性構造は、第１の強磁性材料を含み、前記第１のＢ０コイル及び／又は前記第２のＢ０コイルに隣接して配置される前記少なくとも１つの強磁性コンポーネントは、前記第１の強磁性材料とは異なる第２の強磁性材料を含む、請求項１６に記載の磁気システム。
【請求項１８】
前記少なくとも１つの強磁性コンポーネントは、１つ又はそれよりも多くの中実な強磁性コンポーネントを含む、請求項８に記載の磁気システム。
【請求項１９】
前記磁気システムは、少なくとも１つのラミネートパネルを含み、該少なくとも１つのラミネートパネルは、その上に加工される少なくとも１つの電磁石コンポーネントを有する、請求項８に記載の磁気システム。
【請求項２０】
前記少なくとも１つのラミネートパネルは、その上に形成される少なくとも１つのＢ０コイル、少なくとも１つのシムコイル、及び／又は少なくとも１つの勾配コイルを含む、請求項１９に記載の磁気システム。
【請求項２１】
前記少なくとも１つの強磁性コンポーネントは、前記第１のＢ０コイル及び／又は前記第２のＢ０コイルに隣接して配置される少なくとも１つのシムリングを含む、請求項８に記載の磁気システム。
【請求項２２】
前記少なくとも１つの強磁性コンポーネントは、前記第１のＢ０コイル及び／又は前記第２のＢ０コイルに隣接して配置される複数の強磁性シム部品を含む、請求項８に記載の磁気システム。
【請求項２３】
前記少なくとも１つの強磁性コンポーネントは、前記第１のＢ０コイル及び／又は前記第２のＢ０コイルに隣接して配置される少なくとも１つの強磁性極部品を含む、請求項８に記載の磁気システム。
【請求項２４】
前記少なくとも１つの強磁性極部品は、非長方形の形状を有する極部品を含む、請求項２３に記載の磁気システム。
【請求項２５】
前記少なくとも１つの強磁性コンポーネントは、前記第１のＢ０コイル及び／又は前記第２のＢ０コイルのための支持をもたらす支持構造を提供するように構成される、請求項８に記載の磁気システム。
【請求項２６】
前記少なくとも１つの強磁性コンポーネントは、前記少なくとも１つの強磁性コンポーネント内に生成される渦電流を減少させるよう複数の電気的に絶縁されたセグメントを含む、請求項８に記載の磁気システム。
【請求項２７】
前記少なくとも１つの強磁性コンポーネントは、前記少なくとも１つの強磁性コンポーネントの重量を減少させるよう、不均一な厚さを有する、請求項８に記載の磁気システム。
【請求項２８】
前記Ｂ０磁石は、前記磁気共鳴映像法システムのための前記Ｂ０磁場に寄与する磁場を生成する少なくとも１つの永久磁石を含む、請求項１に記載の磁気システム。
【請求項２９】
前記少なくとも１つのラミネートパネルは、ｘ方向、ｙ方向、及びｚ方向においてそれぞれ空間符号化をもたらすよう、少なくとも１つのｘ勾配コイルと、少なくとも１つのｙ勾配コイルと、少なくとも１つのｚ勾配コイルとを含む、請求項２０に記載の磁気システム。
【請求項３０】
前記少なくとも１つのラミネートパネルは、前記Ｂ０磁場に寄与するように構成される少なくとも１つのＢ０コイルを含み、前記少なくとも１つのラミネートパネルは、２平面構成において配置される第１のラミネートパネル及び第２のラミネートパネルを含む、請求項２９に記載の磁気システム。